(57)【要約】【課題】  飾りプレートを小さな電磁力で入賞口の拡大および縮小に連動して動作させること。【解決手段】  入賞口が縮小状態にあるときには飾りプレート７１がクランク５５を介してソレノイド４４のスプリング力で上昇状態に拘束され、入賞口が縮小状態から拡大状態になるときには飾りプレート７１が自重で上昇状態から下降状態に操作され、入賞口が拡大状態から縮小状態になるときには飾りプレート７１がクランク５５を介してソレノイド４４のスプリング力で下降状態から上昇状態に操作される。このため、飾りプレート７１がソレノイド４４の電磁力を全く要することなく入賞口の拡大に連動して下降状態になり、入賞口の縮小に連動して上昇状態になる。【選択図】  図４
2006333956.tif 000002
【特許請求の範囲】
【請求項１】
入賞口を縮小状態および遊技球の入賞が縮小状態に比べて容易な拡大状態間で切換える一対の羽根板と、
往復動可能なプランジャを有するソレノイドと、
前記プランジャが往動することに連動して拡大操作状態になり、前記プランジャが復動することに連動して縮小操作状態になる操作部材と、
前記操作部材に設けられ、前記操作部材が前記縮小操作状態になることに基いて前記入賞口が前記縮小状態となるように前記一対の羽根板を操作する縮小操作部と、
前記操作部材に設けられ、前記操作部材が前記拡大操作状態になることに基いて前記入賞口が前記拡大状態となるように前記一対の羽根板を操作する拡大操作部と、
第１の状態および第１の状態とは相違する第２の状態間で動作可能に設けられ、第１の状態から第２の状態に動作するための自己動作力を有する可動部材と、
前記可動部材に設けられ、前記操作部材の拡大操作部によって操作される被操作部とを備え、
前記ソレノイドのプランジャは、
前記ソレノイドがオンされることに基いて電磁力で往動し、前記ソレノイドがオフされることに基いてスプリング力で復動するものであり、
前記操作部材の拡大操作部は、
前記操作部材が前記縮小操作状態にあるときには前記被操作部を前記可動部材の自己動作力に抗して係止することに基いて前記可動部材を前記第１の状態に支え、
前記操作部材が前記縮小操作状態から前記拡大操作状態に動作したときには前記被操作部から離間することに基いて前記可動部材を前記自己動作力で前記第１の状態から前記第２の状態に動作させ、
前記操作部材が前記拡大操作状態から前記縮小操作状態に動作したときには前記被操作部を前記可動部材の自己動作力に抗して操作することに基いて前記可動部材を前記第２の状態から前記第１の状態に動作させるものであることを特徴とする遊技機の入賞装置。
【発明の詳細な説明】
【技術分野】
【０００１】
本発明は、入賞口を遊技球の入賞が相対的に困難な縮小状態および遊技球の入賞が相対的に容易な拡大状態相互間で切換える一対の羽根板を備えた遊技機の入賞装置に関する。
【背景技術】
【０００２】
上記遊技機には、一対の羽根板にリブを個別に設け、一対のリブを共通の可動部材に連結した構成のものがある。この構成の場合、可動部材を一対の羽根板に連動して動作させ、入賞口が縮小状態および拡大状態になることに連動して可動部材が動作する趣向性を生成している。
【特許文献１】特開２００４−２２３１６１号公報
【発明の開示】
【発明が解決しようとする課題】
【０００３】
上記従来構成では、一対の羽根板をソレノイドのプランジャに連結し、ソレノイドのプランジャが電磁力で往動することに連動して入賞口を拡大状態に操作し、ソレノイドのプランジャがスプリング力で復動することに連動して入賞口を縮小状態に操作している。このため、ソレノイドが往動するときに一対の羽根板および可動部材の双方を動作させる大きな電磁力が必要になる。
【０００４】
本発明は上記事情に鑑みてなされたものであり、その目的は、可動部材を小さな電磁力で一対の羽根板に連動して動作させることができる遊技機の入賞装置を提供することにある。
【課題を解決するための手段】
【０００５】
本発明は１）一対の羽根板〜７）被操作部を備え、６）可動部材が８−１）〜８−３）の態様で操作されるとことに特徴を有している。
１）一対の羽根板は入賞口を縮小状態および縮小状態に比べて遊技球の入賞が容易な拡大状態相互間で切換えるものである。この縮小状態とは遊技球の入賞が拡大状態に比べて困難な状態であり、遊技球の入賞が困難な状態とは遊技球の入賞が不能な状態を含む。下始動口３６は入賞口の一例であり、左羽根板３７および右羽根板３８は一対の羽根板の一例であり、図３は左羽根板３７および右羽根板３８が下始動口３６を縮小状態に操作した状態を示し、図５は左羽根板３７および右羽根板３８が下始動口３６を拡大状態に操作した状態を示している。
２）ソレノイドは往復動可能なプランジャを有するものであり、プランジャはソレノイドがオンされることに基いて電磁力で往動し、ソレノイドがオフされることに基いてスプリング力で復動する。符号４４はソレノイドの一例を示し、符号４５はプランジャの一例を示している。このプランジャ４５は前後方向へ移動可能なものである。このプランジャ４５の後方への移動は往動に相当するものであり、ソレノイド４４がオンされたときにはプランジャ４５がスプリング力に抗して電磁力で後退する。プランジャ４５の前方への移動は復動に相当するものであり、ソレノイド４４がオフされたときにはプランジャ４５がスプリング力で前進する。
３）操作部材はプランジャが往動することに連動して拡大操作状態になり、プランジャが復動することに連動して縮小操作状態になるものである。クランク５５は操作部材の一例であり、プランジャ４５が後退したときには、図６に示すように、クランク５５が支点５１および支点５３を中心に上昇する拡大操作状態になり、プランジャ４５が前進したときには、図４に示すように、クランク５５が支点５１および支点５３を中心に下降する縮小操作状態になる。
４）縮小操作部は操作部材に設けられたものであり、操作部材が縮小操作状態になることに基いて入賞口が縮小状態となるように一対の羽根板を操作する。クランク５５の左縮小操作部５８および右縮小操作部６０は縮小操作部を構成するものであり、図３および図４に示すように、クランク５５が縮小操作状態になることに基いて左羽根板３７および右羽根板３８を回動操作し、下始動口３６を縮小状態にする。
５）拡大操作部は操作部材に設けられたものであり、操作部材が拡大操作状態になることに基いて入賞口が拡大状態となるように一対の羽根板を操作する。クランク５５の左拡大操作部５９および右拡大操作部６１は拡大操作部を構成するものであり、図５および図６に示すように、クランク５５が拡大操作状態になることに基いて左羽根板３７および右羽根板３８を回動操作し、下始動口３６を拡大状態にする。
６）可動部材は第１の状態および第１の状態とは相違する第２の状態間で動作可能に設けられたものであり、第１の状態から第２の状態に動作するための自己動作力を有している。飾りプレート７１は可動部材の一例である。この飾りプレート７１は下始動口３６に接近した接近状態（図３参照）および下始動口３６から離間した離間状態（図５参照）間で動作可能にされたものであり、接近状態は第１の状態に相当し、離間状態は第２の状態に相当する。この飾りプレート７１は接近状態から離間状態に自重で付勢されたものであり、飾りプレート７１の自重は自己動作力に相当する。
７）被操作部は可動部材に設けられたものであり、操作部材の拡大操作部によって操作されるものである。左被操作部７２および右被操作部７３は被操作部を構成するものであり、操作部材の拡大操作部は被操作部を８−１）〜８−３）のように操作する。
８−１）操作部材の拡大操作部は操作部材が縮小操作状態にあるときには可動部材の被操作部を自己動作力に抗して係止することに基いて可動部材を第１の状態に支える。
８−２）操作部材の拡大操作部は操作部材が縮小操作状態から拡大操作状態に動作したときには被操作部から離間することに基いて可動部材を自己動作力で第１の状態から第２の状態に動作させる。
８−３）操作部材の拡大操作部は操作部材が拡大操作状態から縮小操作状態に動作したときには可動部材の被操作部を自己動作力に抗して操作することに基いて可動部材を第２の状態から第１の状態に動作させる。
【発明の効果】
【０００６】
ソレノイドのオフ状態では操作部材が縮小操作状態にあり、入賞口が縮小状態にされている。この状態では操作部材の拡大操作部が可動部材の被操作部を自己動作力に抗して係止し、可動部材を第１の状態に支えている。即ち、操作部材が縮小操作状態にあるときには可動部材が操作部材を介してソレノイドのスプリング力で第１の状態に拘束される。
【０００７】
ソレノイドがオフ状態からオンされたときには操作部材が縮小操作状態から拡大操作状態になり、操作部材の拡大操作部が一対の羽根板を操作することに基いて入賞口を縮小状態から拡大状態にする。このとき、操作部材の拡大操作部が可動部材の被操作部から離間し、可動部材が自己動作力で第１の状態から第２の状態に動作する。即ち、操作部材が縮小操作状態から拡大操作状態になるときには可動部材が自己動作力で第１の状態から第２の状態になる。
【０００８】
ソレノイドがオン状態からオフされたときには操作部材が拡大操作状態から縮小操作状態になり、操作部材の縮小操作部が一対の羽根板を操作することに基いて入賞口を拡大状態から縮小状態にする。このとき、操作部材の拡大操作部が可動部材の被操作部を自己動作力に抗して操作し、可動部材が第２の状態から第１の状態に動作する。即ち、操作部材が拡大操作状態から縮小操作状態になるときには可動部材が操作部材を介してソレノイドのスプリング力で第２の状態から第１の状態になる。このため、可動部材がソレノイドのスプリング力で第１の状態に拘束され、自己動作力で第１の状態から第２の状態に動作し、ソレノイドのスプリング力で第２の状態から第１の状態に動作するようになる。従って、可動部材がソレノイドの電磁力を全く要することなく入賞口の拡大に連動して第２の状態になり、入賞口の縮小に連動して第１の状態になる。
【発明を実施するための最良の形態】
【０００９】
【実施例１】
【００１０】
１．全体構成の説明
パチンコホールの台島には、図１に示すように、外枠１が設置されている。この外枠１は前後面が開口する四角筒状をなすものであり、外枠１の前端面には前枠２が左側辺部の垂直な軸を中心に回動可能に装着されている。この前枠２の前面には下端部に位置して横長な長方形状の下皿板３が固定されており、下皿板３の前面には上面が開口する下皿４が固定されている。この下皿板３の上方には上皿板５が配置されている。この上皿板５は前枠２に装着されたものであり、上皿板５の前面には上面が開口する上皿６が固定されている。
【００１１】
下皿板３の前面には右端部に位置してハンドル台７が固定されており、ハンドル台７には発射ハンドル８が回動可能に装着されている。この発射ハンドル８の後方には発射モータ９が固定されており、発射モータ９の回転軸には打球槌１０が連結されている。この発射モータ９は打球槌１０の駆動源に相当するものであり、発射ハンドル８が回動操作されたときには発射モータ９に駆動電源が与えられ、打球槌１０が駆動することに基づいて上皿６内の遊技球を上皿６内から弾き出す。
【００１２】
前枠２の前面には窓枠１１が装着されている。この窓枠１１は円形孔状の窓部１２を有するものであり、窓部１２の内周面には透明なガラス窓１３が固定されている。この窓枠１１の後面には左上隅部および右上隅部に位置してスピーカ１４が固定されており、各スピーカ１４の前方には網状のスピーカカバー１５が配置されている。これら各スピーカカバー１５は窓枠１１に固定されたものであり、各スピーカ１４が再生する遊技音は前方のスピーカカバー１５を通して放出される。窓枠１１には両スピーカ１４間に位置してランプカバー１６が固定されており、ランプカバー１６の後方には複数の電飾ＬＥＤ１７が配置されている。これら各電飾ＬＥＤ１７は窓枠１１に固定されたものであり、ランプカバー１６は電飾ＬＥＤ１７が発光することに基いて後方から照明される。
【００１３】
前枠２には、図２に示すように、遊技盤１８が装着されており、遊技盤１８は窓枠１１のガラス窓１３により前方から覆われている。この遊技盤１８の前面には外レール１９および内レール２０が固定されている。これら外レール１９および内レール２０間には発射通路２１が形成されており、打球槌１０が弾いた遊技球は発射通路２１を通して遊技領域２２内に放出される。この遊技領域２２内には複数の障害釘２３が打込まれており、遊技領域２２内に放出された遊技球は障害釘２３に当りながら遊技領域２２内を落下する。この遊技領域２２は外レール１９および内レール２０によって囲まれた円形領域（発射通路２１の残余領域）を称するものであり、遊技球が転動可能な最大範囲である転動領域に相当する。
【００１４】
遊技領域２２内には、図２に示すように、大入賞口台板２４が固定されており、大入賞口台板２４には前面が開口する四角筒状の大入賞口２５が固定されている。この大入賞口台板２４には扉２６が下端部の水平な軸２７を中心に回動可能に装着されている。この扉２６は大入賞口ソレノイドのプランジャに連結されており、大入賞口ソレノイドは扉２６を垂直状態に回動操作することに基づいて大入賞口２５の前面を遊技球が入賞不能に閉鎖し、扉２６を前方へ倒れた水平状態に回動操作することに基づいて大入賞口２５の前面を遊技球が入賞可能に開放する。
【００１５】
遊技領域２２内には表示台板２８が固定されており、表示台板２８には図柄表示器２９が固定されている。この図柄表示器２９はカラー液晶表示器から構成されたものであり、図柄表示器２９には識別図柄が表示される。この識別図柄とは左列の数字図柄と中列の数字図柄と右列の数字図柄の組合せ図柄を称する。遊技領域２２内には始動口装置３０が固定されている。この始動口装置３０は入賞口装置に相当するものであり、遊技球が始動口装置３０に入賞したときには図柄遊技が開始される。この図柄遊技は図柄表示器２９に識別図柄を可変状態および可変停止状態で順に表示するものであり、識別図柄が大当りの組合せで停止表示されたときには大当り遊技が開始される。この大当りの組合せとは各列の数字図柄が同一な組合せを称するものであり、大当り以外の組合せを外れの組合せと称する。
【００１６】
大当り遊技は大入賞口２５を開放し、大入賞口２５内に遊技球が入賞することを許容する遊技者有利の状態を発生させるものであり、大入賞口２５は上限個（１０個）の遊技球が入賞する個数条件または開放時間が上限値（３０ｓｅｃ）に達する時間条件が満足されるまで開放状態に保持される。この大入賞口２５の個数条件および時間条件を基準とする開閉動作は大当りラウンドと称されるものであり、大当りラウンドは固定的な設定回数（１５回）だけ繰返される。この大当りラウンドの繰返しを大当り遊技と称する。
２．始動口装置３０の説明
遊技盤１８には、図３に示すように、始動口台板３１が固定されている。この始動口台板３１は遊技盤１８の前面に沿う板状をなすものであり、始動口台板３１の上端部には上始動口３２が固定されている。この上始動口３２は遊技領域２２内を落下する遊技球が入賞可能なものであり、上面が開口するポケット状をなしている。この上始動口３２には上樋３３が接続されている。この上樋３３の底面は後方へ向って下降する傾斜状をなしており、上始動口３２内に入賞した遊技球は上樋３３の底面に沿って後方へ転がる。
【００１７】
上樋３３の下流部には上始動口センサ３４が固定されている。この上始動口センサ３４は遊技球が通過可能な円形状の開口部３５を有するものであり、遊技球は上樋３３から上始動口センサ３４の開口部３５を通して集合樋内に放出される。この集合樋は始動口装置３０を後方から覆うカバー状をなすものであり、上樋３３から上始動口センサ３４の開口部３５を通して集合樋内に放出された遊技球は集合樋を通して機外に排出される。この上始動口センサ３４は近接スイッチからなるものであり、遊技球が開口部３５内を通過したことを検出して始動信号を出力する。この始動信号は図柄遊技を開始するためのスタート信号であり、遊技球が上始動口３２内に入賞したときには上始動口センサ３４から始動信号が出力されることに基いて図柄遊技が開始される。
【００１８】
始動口台板３１には入賞口に相当する下始動口３６が固定されている。この下始動口３６は上面と左側面と右側面が開口するＬ字状をなすものであり、下始動口３６と上始動口３２との間の隙間寸法Ｗは遊技球の直径寸法に比べて小さく設定されている。即ち、下始動口３６は左側面および右側面から遊技球が入賞可能にされたものであり、上面から遊技球が入賞することが不能にされている。この下始動口３６内には左羽根板３７および右羽根板３８が収納されている。これら左羽根板３７および右羽根板３８は下始動口３６を拡縮するものであり、左羽根板３７は始動口台板３１に軸３９を中心に回動可能に装着され、右羽根板３８は始動口台板３１に軸４０を中心に回動可能に装着されている。これら左羽根板３７および右羽根板３８は一対の羽根板に相当するものである。
【００１９】
左羽根板３７には、図４に示すように、左ピン４１が固定されている。この左ピン４１は軸３９の右下部に配置されたものであり、左羽根板３７は左ピン４１が操作されることに基いて軸３９を中心に回動する。右羽根板３８には右ピン４２が固定されている。この右ピン４２は軸４０の左下部に配置されたものであり、右羽根板３８は右ピン４２が操作されることに基いて軸４０を中心に回動する。これら左ピン４１および右ピン４２はいずれも係合部に相当するものである。
【００２０】
始動口台板３１には、図３に示すように、ソレノイドホルダ４３が固定されており、ソレノイドホルダ４３内にはソレノイド４４が固定されている。このソレノイド４４は円柱状のプランジャ４５を有するものであり、プランジャ４５は前後方向へ直線的に移動可能にされている。このプランジャ４５には、図４に示すように、前端面に位置してプレート４６が固定され、プレート４６の後方に位置してプレート４７が固定されている。これらプレート４６およびプレート４７は直径寸法が相互に同一な円形状をなすものであり、プレート４６とプレート４７との間には空間状の係合部４８が形成されている。
【００２１】
プランジャ４５の外周部にはスプリング４９が挿入されており、スプリング４９は後方のプレート４７とソレノイド４４のボディとの間に介在されている。このスプリング４９は圧縮コイルスプリングからなるものであり、ソレノイド４４のオン状態では、図６に示すように、プランジャ４５が電磁力で吸引されることに基いてスプリング４９のバネ力に抗して後方へ移動する。このソレノイド４４がオフされたときには、図４に示すように、プランジャ４５がスプリング４９のバネ力で前方へ移動する。このプランジャ４５の後方への移動は往動に相当し、前方への移動は復動に相当する。
【００２２】
始動口台板３１には、図４に示すように、左クランクプレート５０が軸５１を中心に回動可能に装着され、右クランクプレート５２が軸５３を中心に回動可能に装着されており、左クランクプレート５０および右クランクプレート５２はロッド５４を介して相互に連結されている。これら左クランクプレート５０と右クランクプレート５２とロッド５４は操作部材に相当するクランク５５を構成するものであり、クランク５５は軸５１および軸５３を中心に回動可能にされている。
【００２３】
左クランクプレート５０には左ピン５６が固定され、右クランクプレート５２には右ピン５７が固定されており、左ピン５６および右ピン５７はプランジャ４５の係合部４８内に挿入されている。これら左ピン５６および右ピン５７はクランク５５の軸に対して位置ずれするものであり、ソレノイド４４のオフ状態では、図４に示すように、プランジャ４５が前方へ移動することに基いてクランク５５が軸５１および軸５３を中心に前方へ向って下降する縮小操作状態に回動し、ソレノイド４４のオン状態では、図６に示すように、プランジャ４５が後方へ移動することに基いてクランク５５が軸５１および軸５３を中心に前方へ向って上昇する拡大操作状態に回動する。
【００２４】
左クランクプレート５０には、図４に示すように、左縮小操作部５８および左拡大操作部５９が形成されている。これら左縮小操作部５８および右拡大操作部５９は隙間を介して上下方向に対向するものであり、左縮小操作部５８および左拡大操作部５９間には左羽根板３７の左ピン４１が挿入されている。右クランクプレート５２には右縮小操作部６０および右拡大操作部６１が形成されている。これら右縮小操作部６０および右拡大操作部６１は隙間を介して上下方向に対向するものであり、右縮小操作部６０および右拡大操作部６１間には右羽根板３８の右ピン４２が挿入されている。これら左縮小操作部５８および右縮小操作部６０は縮小操作部６２を構成するものであり、左拡大操作部５９および右拡大操作部６１は拡大操作部６３を構成するものである。
【００２５】
クランク５５が縮小操作状態に回動しているときには、図４に示すように、左羽根板３７の左ピン４１が左縮小操作部５８に接触し且つ左拡大操作部５９から離間し、右羽根板３８の右ピン４２が右縮小操作部６０に接触し且つ右拡大操作部６１から離間している。この状態では左ピン４１が左縮小操作部５８によって押下げられることに基いて左羽根板３７が垂直な閉鎖状態に回動し、右ピン４２が右縮小操作部６０によって押下げられることに基いて右羽根板３８が垂直な閉鎖状態に回動し、図３に示すように、左羽根板３７が下始動口３６の左側面を閉鎖し、右羽根板３８が下始動口３６の右側面を閉鎖する。即ち、下始動口３６は左羽根板３７および右羽根板３８の閉鎖状態で縮小状態になるものであり、下始動口３６の縮小状態では遊技球が下始動口３６内に入賞することが不能になる。
【００２６】
クランク５５が拡大操作状態に回動しているときには、図６に示すように、左羽根板３７の左ピン４１が左拡大操作部５９に接触し且つ左縮小操作部５８から離間し、右羽根板３８の右ピン４２が右拡大操作部６１に接触し且つ右縮小操作部６０から離間している。この状態では左ピン４１が左拡大操作部５９によって押上げられることに基いて左羽根板３７が傾斜する開放状態に回動し、右羽根板３８が右拡大操作部６１によって押上げられることに基いて傾斜する開放状態に回動し、図５に示すように、左羽根板３７が下始動口３６の左側面を開放し、右羽根板３８が下始動口３６の右側面を開放する。即ち、下始動口３６は左羽根板３７および右羽根板３８の開放状態で拡大状態になるものであり、下始動口３６の拡大状態では遊技球が左側面および右側面を通して下始動口３６内に入賞することが可能になる。
【００２７】
下始動口３６には、図３に示すように、下樋６４が接続されている。この下樋６４の底面は後方へ向って下降する傾斜状をなしており、下始動口３６内に入賞した遊技球は下樋６４の底面に沿って後方へ転がる。この下樋６４の下流部には下始動口センサ６５が固定されている。この下始動口センサ６５は遊技球が通過可能な円形状の開口部６６を有するものであり、下始動口３６内に入賞した遊技球は下樋６４から下始動口センサ６５の開口部６６を通して上始動口３２と共通の集合樋内に放出され、集合樋を通して機外に排出される。この下始動口センサ６５は近接スイッチからなるものであり、遊技球が開口部６６内を通過したことを検出して始動信号を出力する。即ち、遊技球が上始動口３２内に入賞したときには上始動口センサ３４から始動信号が出力され、下始動口３６内に入賞したときには下始動口センサ６５から始動信号が出力され、いずれの場合にも図柄遊技が開始される。
【００２８】
始動口台板３１には、図６に示すように、左飾りクランクプレート６７が軸６８を中心に回動可能に装着され、右飾りクランクプレート６９が軸７０を中心に回動可能に装着されている。これら左飾りクランクプレート６７の前端部および右飾りプレート６９の前端部には飾りプレート７１が固定されており、左飾りクランクプレート６７および右飾りプレート６９は飾りプレート７１を介して相互に連結されている。この飾りプレート７１は、図３に示すように、下始動口３６の下方に配置されたものであり、人の口を模した輪郭形状をなしている。この飾りプレート７１は下始動口３６に接近する接近状態（図３参照）および下始動口３６から離間する離間状態（図５参照）間で相互に回動可能にされており、接近状態から離間状態に自重で付勢されている。この飾りプレート７１は可動部材に相当するものであり、接近状態は第１の状態に相当し、離間状態は第２の状態に相当し、自重は自己動作力に相当する。
【００２９】
左飾りクランクプレート６７の後端部には、図４に示すように、左被操作部７２が形成され、右飾りクランクプレート６９の後端部には右被操作部７３が形成されている。左飾りクランクプレート６７の左被操作部７２は左クランクプレート５０の左拡大操作部５９によって押圧操作されるものであり、円形状をなしている。右飾りクランクプレート６９の右被操作部７３は右クランクプレート５２の右拡大操作部６１によって押圧操作されるものであり、円形状をなしている。これら左被操作部７２および右被操作部７３は被操作部７４を構成するものである。
【００３０】
クランク５５が縮小操作状態にあるときには、図４に示すように、左クランクプレート５０の左拡大操作部５９が左飾りクランクプレート６７の左被操作部７２を飾りプレート７１の自重に抗して支え、右クランクプレート５２の右拡大操作部６１が右飾りクランクプレート６９の右被操作部７３を飾りプレート７１の自重に抗して支えている。この状態では飾りプレート７１が下始動口３６に接近した接近状態に支えられ、人の口が閉じた状態が生成される。即ち、クランク５５が縮小操作状態にあるときには飾りプレート７１がクランク５５を介してソレノイド４４のスプリング力で拘束され、下始動口３６が縮小状態になることに連動して接近状態に保持されている。
【００３１】
クランク５５が縮小操作状態から拡大操作状態に回動したときには、図６に示すように、左クランクプレート５０の左拡大操作部５９が左飾りクランクプレート６７の左被操作部７２から離間し、右クランクプレート５２の右拡大操作部６１が右飾りクランクプレート６９の右被操作部７３から離間する。すると、図５に示すように、飾りプレート７１が下始動口３６の下面から離間した離間状態に自重で回動し、人の口が開いた状態が生成される。即ち、クランク５５が縮小操作状態から拡大操作状態になるときには飾りプレート７１が自重で動作し、下始動口３６が縮小状態から拡大状態になることに連動して接近状態から離間状態になる。
【００３２】
クランク５５が拡大操作状態から縮小操作状態に回動したときには、図４に示すように、左クランクプレート５０の左拡大操作部５９が左飾りクランクプレート６７の左被操作部７２を飾りプレート７１の自重に抗して押下げ、右クランクプレート５２の右拡大操作部６１が右飾りクランクプレート６９の右被操作部７３を飾りプレート７１の自重に抗して押下げる。すると、飾りプレート７１が下始動口３６の下面に接近した接近状態に復帰し、人の口が閉じた状態に戻る。即ち、クランク５５が拡大操作状態から縮小操作状態になるときには飾りプレート７１がクランク５５を介してソレノイド４４のスプリング力で動作し、下始動口３６が拡大状態から縮小状態になることに連動して離間状態から接近状態になる。
【００３３】
始動口台板３１には、図５に示すように、複数のＬＥＤ７５が固定されている。これらＬＥＤ７５は接近状態に回動した飾りプレート７１の後方に配置されたものであり、飾りプレート７１は接近状態で複数のＬＥＤ７５を前方から認識不能に隠し、離間状態で複数のＬＥＤ７５を前方から認識可能に露出する。これらＬＥＤ７５はソレノイド４４がオンされることに電気的に連動してオンされ、ソレノイド４４がオフされることに電気的に連動してオフされるものであり、ソレノイド４４がオンされたときには飾りプレート７１が離間状態になることに連動して複数のＬＥＤ７５が発光し、人の口が開いた様子が電飾的に演出される。
【００３４】
上記実施例１によれば次の効果を奏する。
下始動口３６が縮小状態にあるときには飾りプレート７１をクランク５５を介してソレノイド４４のスプリング力で接近状態に拘束し、下始動口３６が縮小状態から拡大状態になるときには飾りプレート７１を自重で接近状態から離間状態に操作し、下始動口３６が拡大状態から縮小状態になるときには飾りプレート７１をクランク５５を介してソレノイド４４のスプリング力で離間状態から接近状態に操作した。このため、飾りプレート７１がソレノイド４４の電磁力を全く要することなく下始動口３６が拡大状態になることに連動して離間状態になり、下始動口３６が縮小状態になることに連動して接近状態になるので、ソレノイド４４の電力消費量を低減することができる。
【００３５】
上記実施例１においては、始動口装置３０に上始動口３２を設けたが、これに限定されるものではなく、例えば上始動口３２を廃止しても良い。図７は上始動口３２を廃止した実施例２を示すものである。この場合には下始動口３６の縮小状態で左羽根板３７および右羽根板３８間に遊技球の直径寸法程度の球通路が形成され、遊技球が下始動口３６の拡大状態に比べて高い難易度で下始動口３６内に入賞可能になる。
【００３６】
上記実施例１〜実施例２においては、飾りプレート７１を自重で接近状態から離間状態に自己動作させたが、これに限定されるものではなく、例えば飾りプレート７１を接近状態から離間状態に動作させるスプリングを設け、飾りプレート７１をスプリング力で接近状態から離間状態に自己動作させても良い。このスプリング力は自己動作力に相当するものである。
【図面の簡単な説明】
【００３７】
【図１】実施例１を示す図（ａは遊技機の全体構成を示す前面図、ｂは側面図）
【図２】遊技盤を示す前面図
【図３】始動口装置を下始動口の縮小状態で示す図（ａは前面図、ｂはＸｂ線に沿う断面図、ｃはＸｃ視図）
【図４】始動口装置の内部構成を左羽根板および右羽根板の閉鎖状態で示す図（ａは前面図、ｂはＸｂ線に沿う断面図、ｃはＸｃ視図、ｄはＸｄ視図）
【図５】始動口装置を下始動口の拡大状態で示す図（ａは前面図、ｂはＸｂ線に沿う断面図、ｃはＸｃ視図）
【図６】始動口装置の内部構成を左羽根板および右羽根板の開放状態で示す図（ａは前面図、ｂはＸｂ線に沿う断面図、ｃはＸｃ視図、ｄはＸｄ視図）
【図７】実施例２を示す図（ａは始動口装置を下始動口の拡大状態で示す前面図、ｂはＸｂ線に沿う断面図、ｃはＸｃ視図、ｄはＸｄ視図）
【符号の説明】
【００３８】
３０は始動口装置、３６は下始動口、３７は左羽根板、３８は右羽根板、４４はソレノイド、４５はプランジャ、４９はスプリング、５５はクランク、５８は左縮小操作部、５９は左拡大操作部、６０は右縮小操作部、６１は右拡大操作部、７１は飾りプレート、７２は左被操作部、７３は右被操作部を示している。
【図１】
2006333956.tif 000003
【図２】
2006333956.tif 000004
【図３】
2006333956.tif 000005
【図４】
2006333956.tif 000006
【図５】
2006333956.tif 000007
【図６】
2006333956.tif 000008
【図７】
2006333956.tif 000009